(57)【要約】【課題】媒体の読み出し品質の劣化により読み出し不能になって記録データを喪失することを回避する光ディスク装置およびデータ保護方法を提供することを目的とする。【解決手段】記録可能な光ディスク１１から記録されたデータを読み出す読み取り手段と、光ディスク１１にデータを記録する書き込み手段と、光ピックアップ１２および光ディスク１１を駆動する駆動手段と、読み取り手段の信号から駆動手段をサーボ制御するサーボ制御部２１と、読み取ったデータのエラーの水準を確認して光ディスク１１の劣化を判断する確認手段２４と、ＣＰＵ２２と、確認手段２４により劣化を判断したときに外部に告知する告知手段２５とを有する光ディスク装置１０である。【選択図】  図１
2005025861.tif 000002
【特許請求の範囲】
【請求項１】
記録層に経時的変化をおこす可能性のある媒体を用いた記録可能な光ディスクから記録されたデータを読み出す読み取り手段と、前記光ディスクにデータを記録する書き込み手段と、光ピックアップおよび前記光ディスクを駆動する駆動手段と、前記読み取り手段の信号から前記駆動手段をサーボ制御するサーボ制御手段と、全体を制御する中央制御手段とを有する光ディスク装置であって、
前記読み取り手段が読み取ったデータのエラーの水準を確認して前記光ディスクの劣化を判断する確認手段を有し、前記確認手段が前記光ディスクの劣化を判断したときに告知手段によって光ディスク装置の外部に告知することを特徴とする光ディスク装置。
【請求項２】
前記確認手段は前記光ディスクが装着されていて光ディスク装置が稼働をしていないときに前記光ディスクの劣化を判断することを特徴とする請求項１記載の光ディスク装置。
【請求項３】
前記中央制御手段は上位の制御装置とのインターフェイスを含み、前記告知は前記インターフェイスを介して前記上位の制御装置へ伝達され、さらに前記上位の制御装置からの指示を受けて前記書き込み手段によって前記光ディスクのバックアップを行うことを特徴とする請求項１記載の光ディスク装置。
【請求項４】
記録層に経時的変化をおこす可能性のある媒体を用いた記録可能な光ディスクから記録されたデータを読み出す読み取り手段と、前記光ディスクにデータを記録する書き込み手段と、光ピックアップおよび前記光ディスクを駆動する駆動手段と、前記読み取り手段の信号から前記駆動手段をサーボ制御するサーボ制御手段と、全体を制御する中央制御手段と、データのエラーの水準を確認して前記光ディスクの劣化を判断する確認手段と、光ディスク装置の外部に告知する告知手段とを有する光ディスク装置のデータ保護方法であって、
光ディスク装着の有無を確認する光ディスク確認ステップと、前記読み取り手段により前記光ディスクのデータを読み出す読み出し品質確認ステップと、読み出したデータのエラーの水準を確認して前記確認手段により前記光ディスクの劣化を判断する品質判定ステップと、前記光ディスクの劣化を判断したときに告知手段によって光ディスク装置の外部に告知する告知ステップとを有することを特徴とするデータ保護方法。
【請求項５】
前記光ディスク確認ステップはさらに光ディスク装置が稼働をしていないことを確認するアイドル確認ステップを含み、前記光ディスクが装着されていて光ディスク装置が稼働をしていないときに前記読み出し品質確認ステップを開始することを特徴とする請求項４記載のデータ保護方法。
【請求項６】
前記告知ステップはインターフェイスを介して前記上位の制御装置へ伝達するインターフェイスステップを含み、さらに前記上位の制御装置からの指示を受けて前記書き込み手段によって前記光ディスクのバックアップを行うバックアップステップを有することを特徴とする請求項４記載のデータ保護方法。
【発明の詳細な説明】
【０００１】
【発明の属する技術分野】
読み出し品質が劣化する傾向を有する記録媒体について、データ喪失を回避するための光ディスク装置およびデータ保護方法に関する。
【０００２】
【従来の技術】
光ディスクとして使用される媒体の種類には、記録層に有機色素層を用いて１回だけ書き込みが可能な（ライトワンス）種類が存在し、記録や保存の用途に広く普及している。例えば、ＣＤ−Ｒ、ＤＶＤ−Ｒの光ディスクが相当する。記録に当たって、光ディスクの記録層にレーザを照射することによって有機色素層を変色させる事で、データの記録を行う。
【０００３】
読み取りにもレーザを使用し記録面上の色素の明暗を検出することで、記録されたデータを再生する。さらに、１回だけの記録の制限を克服して追加記録するための技術も提案された。例えば、（特許文献１）参照。
【０００４】
なお、本発明における光ディスクとは、記録層に経時的変化をおこす可能性のある媒体を用いた記録可能な光ディスクを意味するものとする。
【０００５】
【特許文献１】
特開２００３−０７７１３１号公報
【０００６】
【発明が解決しようとする課題】
しかしながら、これらの媒体は有機色素層に記録しているため、経時変化・光線・温度などにより色素の劣化が生じることがある。色素の劣化をおこすと、色素の明暗が正常に検出されなくなり、読み出し品質の劣化へとつながる恐れがある。また、媒体の記録面上に傷が付いたり、埃が付着することもある。その結果、ライトワンス型の光ディスクにおいては、色素の劣化やディスクの記録面への傷・汚れなどにより、記録済みデータの読み取り品質の劣化が生じる可能性がある。
【０００７】
一定水準以下の読み取り品質の劣化（つまり再生エラー）が生じても各媒体の記録方式に基づいてデータ内のエラー訂正方式などにより、読み取り後にデータをエラー修正し、結果的にパソコンなどでの読み取りは正常に終了する。しかし、ある水準を超えた記録済みデータの読み取り品質の劣化が生じると、もはやエラー訂正方式による修正が不可能になり、記録済データの読み出しが不可能になる。
【０００８】
この結果、記録済データの喪失が生じる恐れがあった。これを回避するため、読み出し品質の劣化が進みデータ喪失が起きる前に、記録済みデータの保護をすることが求められていた。
【０００９】
本発明は、読み出し品質の劣化の程度を判断することによって、データ喪失が起きる前に記録済みデータを保護することのできる光ディスク装置およびデータ保護方法を提供することを目的とする。
【００１０】
【課題を解決するための手段】
本発明は上記課題を解決するためになされたものであって、記録層に経時的変化をおこす可能性のある媒体を用いた記録可能な光ディスクから記録されたデータを読み出す読み取り手段と、光ディスクにデータを記録する書き込み手段と、光ピックアップおよび光ディスクを駆動する駆動手段と、読み取り手段の信号から駆動手段をサーボ制御するサーボ制御手段と、読み取り手段が読み取ったデータのエラーの水準を確認して光ディスクの劣化を判断する確認手段と、全体を制御する中央制御手段とを有し、確認手段が光ディスクの劣化を判断したときに告知手段によって光ディスク装置の外部に告知することを特徴とする光ディスク装置である。本発明によれば、読み出し品質の劣化の程度を判断することによって、データ喪失が起きる前に記録済みデータを保護することのできる光ディスク装置およびデータ保護方法を提供することができる。
【００１１】
【発明の実施の形態】
上記課題を解決するためになされた第１の発明は、記録層に経時的変化をおこす可能性のある媒体を用いた記録可能な光ディスクから記録されたデータを読み出す読み取り手段と、光ディスクにデータを記録する書き込み手段と、光ピックアップおよび光ディスクを駆動する駆動手段と、読み取り手段の信号から駆動手段をサーボ制御するサーボ制御手段と、読み取り手段が読み取ったデータのエラーの水準を確認して光ディスクの劣化を判断する確認手段と、全体を制御する中央制御手段とを有し、確認手段が光ディスクの劣化を判断したときに告知手段によって光ディスク装置の外部に告知することを特徴とする光ディスク装置である。
【００１２】
特に、光ディスクが装着されていて光ディスク装置が稼働をしていないときに光ディスクの劣化を判断することを特徴とするものであり、さらに、中央制御手段は上位の制御装置とのインターフェイスを含み、告知はインターフェイスを介して上位の制御装置へ伝達され、上位の制御装置からの指示を受けて書き込み手段によって前記光ディスクのバックアップを行うことを特徴とするものである。
【００１３】
本発明によれば、読み出し品質の劣化の程度を判断することによって、データ喪失が起きる前に記録済みデータを保護することのできる光ディスク装置を提供することができる。
【００１４】
上記課題を解決するためになされた第２の発明は、記録層に経時的変化をおこす可能性のある媒体を用いた記録可能な光ディスクから記録されたデータを読み出す読み取り手段と、光ディスクにデータを記録する書き込み手段と、光ピックアップおよび光ディスクを駆動する駆動手段と、読み取り手段の信号から駆動手段をサーボ制御するサーボ制御手段と、全体を制御する中央制御手段と、データのエラーの水準を確認して光ディスクの劣化を判断する確認手段と、光ディスク装置の外部に告知する告知手段とを有する光ディスク装置のデータ保護方法であって、光ディスク装着の有無を確認する光ディスク確認ステップと、読み取り手段により光ディスクのデータを読み出す読み出し品質確認ステップと、読み出したデータのエラーの水準を確認して確認手段により光ディスクの劣化を判断する品質判定ステップと、光ディスクの劣化を判断したときに告知手段によって光ディスク装置の外部に告知する告知ステップとを有することを特徴とするデータ保護方法である。
【００１５】
特に、光ディスクが装着されていて光ディスク装置が稼働をしていないときに読み出し品質確認ステップを開始することを特徴とするデータ保護方法であり、さらに、告知ステップはインターフェイスを介して上位の制御装置へ伝達するインターフェイスステップを含み、上位の制御装置からの指示を受けて書き込み手段によって光ディスクのバックアップを行うバックアップステップを有することを特徴とするデータ保護方法である。
【００１６】
本発明によれば、読み出し品質の劣化の程度を判断することによって、データ喪失が起きる前に記録済みデータを保護することのできるデータ保護方法を提供することができる。
【００１７】
（実施の形態１）
本発明の実施の形態１における光ディスク装置とそのデータ保護方法について図に基づいて説明する。図１は本発明の光ディスク装置の構成図であって、ＣＤ−ＲまたはＤＶＤ−Ｒの光ディスク媒体を使用する本発明の光ディスク装置である。
【００１８】
図１において、本発明の光ディスク装置１０は、光ディスク１１にレーザ光を照射することによってデータの書き込みを行い、あるいはデータの読み出しを行う光ピックアップ１２を備えたものである。この光ピックアップ１２から得た信号を２値化するとともに制御信号を生成する信号処理部１３、信号処理部１３からのデータを復調するデコーダ部１５、を有する。以上を読み取り手段と総称する。
【００１９】
他方、ホストから転送されてきたデータをエンコードするエンコーダ部１６、エンコードされたデータに従って光ピックアップ１２からレーザ光の発光制御を照射させるレーザ駆動部１７を有する。以上の信号処理系を書き込み手段と総称する。
【００２０】
また、光ピックアップ１２のフォーカス及びトラッキング動作を駆動制御するアクチュエータ部１８、光ディスク１１を回転駆動するスピンドルモータ１９の駆動制御をするスピンドル駆動部２０等の駆動系を有する。さらに、信号処理系からの制御信号で駆動系各部のサーボ制御を行うサーボ制御部２１、システム全体を制御する中央制御部（ＣＰＵ）２２、上位の制御装置例えばホストＰＣとの間のインターフェイス（ＩＦ）２３等から構成されている。
【００２１】
光ディスク１１は確認手段２４によって、読み出し品質を確認し、所定の水準よりも劣化していると判断される場合に、告知手段２５によって外部に告知する。本発明においては、例えば、光ディスク１１がセットされていて、該当装置が使用されていない（稼働中でない）アイドル時間などを利用して行われる。
【００２２】
即ち、読取手段により光ディスク１１からデータの読取を行う。読み取られたデータは確認手段２４を用いて読み出し品質を確認する。光ディスク１１に記録されたデータの読み出し品質（エラー個数）が、レッドブック（ＣＤの規格書）に規定されている毎秒２２０個に対して余裕を持った値、例えば１５０、と比較しそれ以下のエラー個数であればそのままアイドル状態を維持する。
【００２３】
光ディスク１１に記録されたデータの読み出し品質が水準以下に劣化（例えば１５０を超えるエラー個数である場合）している時は光ディスク１１の読み出し品質の劣化を外部告知手段２５により外部に告知する。
【００２４】
例えば、外部の操作者やあるいはホストＰＣが読み出し品質の劣化が進みデータが読みとれなくなる前にバックアップを行うことを判断すると、書込手段を用いてデータのバックアップなどの措置がとられる。
【００２５】
次に、読み出し品質の確認について説明する。図２は図１の光ディスク装置における読み出し品質の確認を説明するフローチャートである。光ディスク装置１０が使用されていないと判断されると、光ディスク装置１０の内部状態がアイドル状態へと推移する（ＳＴＥＰ１）。アイドル状態にはいると、光ディスク１１の装着の有無の確認が行われる（ＳＴＥＰ２）。光ディスク１１が無い時には、ＳＴＥＰ６の通常動作へと復帰する。
【００２６】
光ディスク１１の存在が確認されると、光ディスク１１の読み出し品質の確認を行う（ＳＴＥＰ３）。ＳＴＥＰ３においては、確認手段２４のプログラムに基づいて、例えば、一秒間あたりのＣ１／Ｃ２エラーの個数をカウントする品質確認コマンドを実行して光ディスク１１の読み出し品質を確認する。
【００２７】
ここで得られた読み出し品質は、例えばレッドブック（ＣＤの規格書）に規定されている毎秒２２０個のエラー個数に対して余裕を持った基準値１５０と比較し、読み出し品質の劣化の有無を確認する（ＳＴＥＰ４）。ＳＴＥＰ４において、読み出し品質のエラー個数が基準値以下（例えば１５０以下のエラー個数）である場合は読み出し品質の劣化が確認されないものとして、ＳＴＥＰ６の通常動作へと復帰する。
【００２８】
読み出し品質のエラー個数が基準値を超過する劣化を（例えば１５０を超えるエラー個数）している場合に、ＳＴＥＰ４で読み出し品質の劣化と認されると、光ディスク装置のフロントＬＥＤを特定パターンや表示色で点滅させるなどして外部（操作者）への告知を行う（ＳＴＥＰ５）。こうして、光ディスク１１に記録されたデータの読み出し品質の劣化が明示されるので、読み出し品質の劣化が進みデータが読みとれなくなる前にバックアップを行うなどの措置をとることのできる光ディスク装置を提供することができる。
【００２９】
次に、外部にホストコンピュータとしてパソコンが接続されている場合の処理について説明する。図３は光ディスク装置とパソコン間のプロトコルを説明する図である。図３において、光ディスク装置１０に装着されている光ディスク１１の記録データの読み出し品質をモニターし、水準以下の読み出し品質と判断したところで、パソコンからバックアップコマンド（指示）を発行することにより、光ディスク１１に記録されたデータをバックアップする方法を説明するものである。
【００３０】
いま、光ディスク装置１０がアイドル状態に移行したものとする（ＳＴＥＰ１１）。光ディスク装置１０は自身で光ディスク１１の装着確認を実施する（ＳＴＥＰ１２）。光ディスク装置１０は自身で光ディスク１１の読み出し品質の確認を行う（ＳＴＥＰ１３）。読み出した結果に基づいて、読み出し品質の判定を行う（ＳＴＥＰ１４）。品質の劣化が確認された場合には読み出し品質の劣化フラグをＯＮにする（ＳＴＥＰ１５）。
【００３１】
パソコン側から読み出し品質の劣化確認コマンドが発信される（ＳＴＥＰ１６）と、光ディスク装置１０側から読み出し品質の劣化フラグを返信する（ＳＴＥＰ１７）。読み出し品質の劣化フラグＯＮを受信したパソコンは、光ディスク装置１０に対してバックアップコマンドを発信する（ＳＴＥＰ１８）。バックアップコマンドに従って、光ディスク１１はバックアップを実行する（ＳＴＥＰ１９）。その後、バックアップが終了すると、読み出し品質の劣化フラグをＯＦＦにして終了する（ＳＴＥＰ２０）。
【００３２】
図４は光ディスク品質劣化の確認処理を表す光ディスク装置のフローチャートである。光ディスク装置１０が使用されていないと判断されると、ＣＰＵ２２は装置の内部状態をアイドル状態へと推移する（ＳＴＥＰ２１）。アイドル状態にはいると、ＳＴＥＰ１８で光ディスク１１装着の有無の確認を行なう（ＳＴＥＰ２２）。
【００３３】
光ディスク１１の装着がない場合は通常動作へと復帰する（ＳＴＥＰ２６）。光ディスク１１の装着が確認されると、その光ディスク１１の読み出し品質の確認を行う（ＳＴＥＰ２３）。ＳＴＥＰ２３においては、確認手段２４のプログラムに基づいて、例えば、一秒間あたりのＣ１／Ｃ２エラーの個数をカウントする品質確認コマンドを実行して光ディスク１１の読み出し品質を確認する。
【００３４】
ここで得られた読み出し品質は、例えばレッドブック（ＣＤの規格書）に規定されている毎秒２２０個のエラー個数に対して余裕を持った基準値１５０と比較し、読み出し品質の劣化の有無を確認する（ＳＴＥＰ２４）。ＳＴＥＰ２４において、読み出し品質のエラー個数が基準値以下（例えば１５０以下のエラー個数）である場合は読み出し品質の劣化が確認されないものとして、ＳＴＥＰ２６の通常動作へと復帰する。ＳＴＥＰ２４で読み出し品質の劣化が確認されたときには、ＳＴＥＰ２５において読み出し品質の劣化フラグをＯＮにする。
【００３５】
図５は光ディスク品質劣化確認後の処理を表す光ディスク装置のフローチャートである。図４のＳＴＥＰ２５に相当するＳＴＥＰ３１において、読み出し品質の劣化フラグをＯＮに設定した後、パソコン側からの読み出し品質の劣化フラグ確認コマンドの受信を待つ（ＳＴＥＰ３２）。読み出し品質の劣化フラグ確認コマンドを受信すると、読み出し品質の劣化フラグの返信を行う（ＳＴＥＰ３３）。パソコン側からのバックアップコマンドの受信を待って（ＳＴＥＰ３４）、バックアップコマンドを受信すると、バックアップを実行する（ＳＴＥＰ３５）。
【００３６】
バックアップが終了すると、読み出し品質の劣化フラグをＯＦＦにする（ＳＴＥＰ３６）。以上のように、パソコンを操作中に光ディスク装置を確認することなくメディアの読み出し品質の劣化を把握することができ、読み出し品質の劣化が進みデータが読み取れなくなる前にバックアップを行うなどの措置をとることができる光ディスク装置を提供することができる。
【００３７】
図６は光ディスク装置の自動バックアップを説明するフローチャートである。光ディスク１１の読み出し品質が水準以下であると確認され、しかもその光ディスク１１の空き容量に十分余裕があることが確認された場合に、その光ディスク１１に記録されているデータを記録領域から空き領域へ自動的にバックアップを行う方法を説明するものである。
【００３８】
光ディスク装置１０が使用されていないと判断されると、光ディスク装置１０の内部状態がアイドル状態へと推移する（ＳＴＥＰ４１）。アイドル状態にはいると、光ディスク１１装着の有無を確認する（ＳＴＥＰ４２）。光ディスク１１の装着が無い時には、通常動作へと復帰する（ＳＴＥＰ４７）。
【００３９】
光ディスク１１の存在が確認されると、読み出し品質の確認を行う（ＳＴＥＰ４３）。ＳＴＥＰ４３において、光ディスク装置１０の確認手段２４のプログラムに基づいて、例えば、一秒間あたりのＣ１／Ｃ２エラーの個数をカウントする品質確認コマンドを実行して光ディスク１１の読み出し品質を確認する。
【００４０】
ここで得られた読み出し品質は、例えばレッドブック（ＣＤの規格書）に規定されている毎秒２２０個のエラー個数に対して余裕を持った基準値１５０と比較し、読み出し品質の劣化の有無を確認する（ＳＴＥＰ４４）。
【００４１】
ＳＴＥＰ４４において読み出し品質の劣化が確認されないときには、ＳＴＥＰ４７の通常動作へと復帰する。ＳＴＥＰ４４で読み出し品質の劣化が確認されたときには、光ディスク１１に残された空き容量が記録済容量より大きいかを確認する（ＳＴＥＰ４５）。
【００４２】
空き容量が記録済容量より小さいときには容量不足でバックアップできないので、ＳＴＥＰ４７の通常動作へと復帰する。空き容量が記録済容量より大きいときには、バックアップするだけの容量が確保できるので、記録済データを空きスペースへバックアップする（ＳＴＥＰ４６）。バックアップが終了すると、ＳＴＥＰ４７の通常動作へと復帰する。これにより、光ディスク１１の読み出し品質が劣化してデータの読み出しができなくなる前に、自動でデータがバックアップされるので、光ディスク１１の読み出し品質の劣化を意識することなく使用することのできる光ディスク装置を提供することが出来る。
【００４３】
【発明の効果】
以上のように、本発明によれば、読み出し品質の劣化の程度を判断することによって、データ喪失が起きる前に記録済みデータを保護することのできる光ディスク装置およびデータ保護方法を提供することが出来る。
【図面の簡単な説明】
【図１】本発明の実施の形態における光ディスク装置の構成図
【図２】図１の光ディスク装置における読み出し品質の確認を説明するフローチャート
【図３】光ディスク装置とパソコン間のプロトコルを説明する図
【図４】光ディスク品質劣化の確認処理を表す光ディスク装置のフローチャート
【図５】光ディスク品質劣化確認後の処理を表す光ディスク装置のフローチャート
【図６】光ディスク装置の自動バックアップを説明するフローチャート
【符号の説明】
１０  光ディスク装置
１１  光ディスク
１２  光ピックアップ
１３  信号処理部
１５  デコーダ部
１６  エンコーダ部
１７  レーザ駆動部
１８  アクチュエータ部
１９  スピンドルモータ
２０  スピンドル駆動部
２１  サーボ制御部
２２  中央制御部（ＣＰＵ）
２３  インターフェイス（ＩＦ）
２４  確認手段
２５  告知手段
【図１】
2005025861.tif 000003
【図２】
2005025861.tif 000004
【図３】
2005025861.tif 000005
【図４】
2005025861.tif 000006
【図５】
2005025861.tif 000007
【図６】
2005025861.tif 000008